(57)【特許請求の範囲】
【請求項１】
長手方向に複数の引掛受け部を有して壁面に縦長に取付けられた一対のレールと、前記引掛受け部に引っ掛ける引掛部を背板の外側に有するボックスとを備え、
前記ボックスは前記背板の内面のレール取付位置に内器受けを有し、前記内器受けは連結片を延出し、前記連結片に前記引掛部を前記背板を貫通して一体に設け、
前記背板の前記レールの外側位置に前記レールの高さよりも高く前記壁面側に突出する縦長の一対のリブを有し、前記一対のリブの対向面は前記一対のレールの外側の側面に接近しており、
前記引掛部を前記引掛受け部に引掛けた盤ボックスの固定構造。
【請求項２】
前記引掛部は頭部とピン部からなりかつ前記頭部側が径大となる円錐部を前記ピン部の頭部連続部分に形成した頭付ピンであり、前記引掛受け部は前記頭付ピンの前記頭を遊嵌する大孔部と前記ピン部を係合する小孔部からなりかつ前記小孔部は下端部側ほど漸次幅が狭くなっている請求項１記載の盤ボックスの固定構造。
【発明の詳細な説明】
【０００１】
【産業上の利用分野】
この発明は、分電盤、制御盤等に適用される盤ボックスの固定構造に関するものである。
【０００２】
【従来の技術】
従来、分電盤の盤ボックスを個別に壁面にアンカーボルトにより固定していた。
【０００３】
【発明が解決しようとする課題】
しかし、その盤ボックスの固定作業に時間がかかるという欠点があった。
したがって、この発明の目的は、盤ボックスの固定作業を容易にすることができる盤ボックスの固定構造を提供することである。
【０００４】
【課題を解決するための手段】
請求項１の盤ボックスの固定構造は、長手方向に複数の引掛受け部を有して壁面に縦長に取付けられた一対のレールと、前記引掛受け部に引っ掛ける引掛部を背板の外側に有するボックスとを備え、
前記ボックスは前記背板の内面のレール取付位置に内器受けを有し、前記内器受けは連結片を延出し、前記連結片に前記引掛部を前記背板を貫通して一体に設け、
前記背板の前記レールの外側位置に前記レールの高さよりも高く前記壁面側に突出する縦長の一対のリブを有し、前記一対のリブの対向面は前記一対のレールの外側の側面に接近しており、
前記引掛部を前記引掛受け部に引掛けたものである。
【０００５】
請求項２の盤ボックスの固定構造は、請求項１において、前記引掛部が頭部とピン部からなりかつ前記頭部側が径大となる円錐部を前記ピン部の頭部連続部分に形成した頭付ピンであり、前記引掛受け部は前記頭付ピンの前記頭を遊嵌する大孔部と前記ピン部を係合する小孔部からなりかつ前記小孔部は下端部側ほど漸次幅が狭くなっているものである。
【０００８】
【作用】
請求項１の盤ボックスの固定構造によれば、一対のレールを壁面に縦に取付け、これらのレールの引掛受け部にボックスの引掛部を引掛けてボックスをレールに取付ける。したがって、従来例と比較して、ボックスの固定作業を容易にすることができる。また前記ボックスが前記背板の内面のレール取付位置に内器受けを有するため、内器の重量を引掛部を介してレールに負担させることができ背板に加わる荷重を軽減できるので背板を薄くすることができる。さらに前記ボックスが前記背板の前記レールの外側位置に前記壁面側に突出する縦長の一対のリブを有するため、前記ボックスの外側面からレールが隠れるので外観が良好になるとともに、ボックスの背板の補強を兼用できる。また前記リブは前記レールの高さよりも高いため、リブと壁面のすき間をなくし、引掛部と引掛受け部とが緊密に結合するのでボックスの固定が確実でがたつきにくい。
また前記一対のリブの対向面が前記一対のレールの互いに反対側の側面に接近しているため、ボックスをレールに固定する際にリブの内側にレールを係合することによりボックスの位置決めができるので、ボックスの引掛作業が容易になる。
【０００９】
請求項２の盤ボックスの固定構造によれば、請求項１において、前記引掛部は頭部とピン部からなりかつ前記頭部側が径大となる円錐部を前記ピン部の頭部連続部分に形成した頭付ピンであり、前記引掛受け部は前記頭付ピンの前記頭を遊嵌する大孔部と前記ピン部を係合する小孔部からなりかつ前記小孔部は下端部側ほど漸次幅が狭くなっているため、請求項１の作用のほか、引掛部を引掛受け部に引掛けやすく、しかもボックスとレールとを密着できるとともにボックスの位置決めが確実になる。
【００１２】
【実施例】
この発明の第１の実施例を図１ないし図１０により説明する。すなわち、この盤ボックスの固定構造は、レール１，２と、ボックス３とを有する。
レール１，２は、図示のように長手方向に多数の引掛受け部４を等間隔に有して壁面１１に縦長に取付けられている。各レール１，２は図８および図９に示すように略コ字形をなす杆２８と、この杆２８に冠合する杆２９からなり、杆２９の中央に突出部３２を設け、突出部３２に引掛受け部４を形成し、この引掛受け部４に整合する位置の杆２８に取付孔３０を形成している。各引掛受け部４は大孔部５とこれに連続する小孔部６からなり、大孔部５を中間に小孔部６は上方および下方に一対延びる長孔状であって、上下対称に形成することによりレール１，２の上下端が制限されないようにしている。各レール１，２は取付孔３０を通して壁面１１に取付けられる。
【００１３】
ボックス３は、引掛受け部４に引っ掛ける引掛部７を背板１２の外面に有する。実施例の引掛部７は図４および図１０に示すように頭部８とピン部３１からなる頭付ピンを実施例とし、かしめ部３１ａをボックス３の孔に通してかしめている。この引掛部７の頭部８を大孔部５に遊嵌し、ピン部３１を小孔部６に係合して引掛ける。またレール１，２への固定のため、引掛部７が引掛受け部４に引っ掛かった状態で他の引掛受け部４に整合する位置で背板１２に引掛受け部４と同形状の取付孔２６を形成し、この取付孔２６を通して引掛受け部４にボルト頭１４を係合し、図３に示すようにナット１５をボルト１６に締め付け、これによりボックス３をレール１，２に確実に取付けている。
【００１４】
実施例のボックス３は、背板１２と両側板９とを一体に有し、両側板９に扉１０を開閉自在に設けている。２３はその取手、２４は扉取付部２７を有するコーナ補強部材である。背板１２の両側板９側に沿うようにレール１、２の高さよりも高いリブ１３を形成している。また背板１２にはレール取付位置上に引掛受け部４と同構造の内器受け１７を設けている。さらに他のボックス３′をレール１，２に引掛けてボックス３の下側に連続し、かつ内部も上下に連通し、これらのボックス    ３，３′で同一機能を有するボックスを構成している。そして、天板３７はボックス３の上端に取付けられ、下板（図示せず）はボックス３′の下端に取付けられる。
【００１５】
内器１８は、内器受け１７にボルト２０により取付けられたフレーム１９と、フレーム１９に支持されたブレーカ２１，バー２２等からなる。
この実施例によれば、一対のレール１，２を壁面１１に縦に取付け、これらのレール１，２の引掛受け部４にボックス３の引掛部７を引掛けてボックス３をレール１，２に取付ける。したがって、従来例と比較して、ボックス３の固定作業を容易にすることができ、たとえば一人でボックス３を取付けることもできる。
【００１６】
またボックス３は背板１２の内面のレール取付位置に内器受け１７を有するため、内器１８の重量を引掛部７を介してレール１，２に負担させることができ背板１２に加わる荷重を軽減できるので背板１２を薄くすることができる。
さらにボックス３が背板１２のレール１，２の外側位置に壁面１１側に突出する縦長の一対のリブ１３を有するため、ボックス３の外側面からレール１，２が隠れるので外観が良好になるとともに、ボックス３の背板１２の補強を兼用できる。
【００１７】
またリブ１３はレール１，２の高さよりも高いため、リブ１３と壁面１１のすき間をなくし、引掛部７と引掛受け部４とが緊密に結合するのでボックス３の固定が確実でがたつきにくい。
さらにボックス３をレール１，２に引っ掛ける構成のため、他のボックス３′をボックス３に連続するように取付けることができ、このため単一のボックスと同一機能を有する複数のボックス３，３′を連結するようにレール１，２に取付けることにより、各ボックス３，３′の個々が小型かつ軽量化するので、取付作業の安全性を高めることができる。
【００１８】
この発明の第２の実施例を図１１に示す。すなわち、この盤ボックスの固定構造は、第１の実施例において、ボックス３の背板１２の一対のリブ１３の対向面１３ａがレール１，２の互いに反対側の側面に接近している。これにより、ボックス３をレール１，２に固定する際にリブ１３の内側にレール１，２を係合することによりボックス３の位置決めができるので、ボックス３の引掛作業が容易になる。またボックス３内のスペースが大きくなるので内器１８の配線が楽になる。
【００１９】
この発明の第３の実施例を図１２および図１３に示す。すなわち、この盤ボックスの固定構造は、第１の実施例において、引掛部７は頭部８側が径大となる円錐部３１ｂをピン部３１の頭部連続部分に形成し、ピン部３１の円錐部３１ｂ以外の部分の軸方向の長さはレール１の板厚程度にしている。また引掛受け部４は、頭付ピンの頭８を遊嵌する大孔部５とピン部３１を係合する小孔部６ａからなるが、小孔部６ａは下端部側ほど漸次幅が狭くなっているものである。これにより、引掛部７を引掛受け部４に引掛けやすく、しかも引掛受け部４が幅狭くなることによりボックス３の位置決めが確実になる。
【００２０】
この発明の第４の実施例を図１４ないし図１６に示す。すなわち、この盤ボックスの固定構造は、引掛部７を内器受け１７より延出した連結片３４に一体に設け、内器１８の荷重が内器受け１７，引掛受け部７を介してレール１，２にかかるようにして、壁取付力がボックス３，３′の背板１２にかからないようにしている。
【００２１】
【発明の効果】
請求項１の盤ボックスの固定構造によれば、一対のレールを壁面に縦に取付け、これらのレールの引掛受け部にボックスの引掛部を引掛けてボックスをレールに取付ける。したがって、従来例と比較して、ボックスの固定作業を容易にすることができる。また前記ボックスが前記背板の内面のレール取付位置に内器受けを有するため、内器の重量を引掛部を介してレールに負担させることができ背板に加わる荷重を軽減できるので背板を薄くすることができる。さらに前記ボックスが前記背板の前記レールの外側位置に前記壁面側に突出する縦長の一対のリブを有するため、前記ボックスの外側面からレールが隠れるので外観が良好になるとともに、ボックスの背板の補強を兼用できる。また前記リブは前記レールの高さよりも高いため、リブと壁面のすき間をなくし、引掛部と引掛受け部とが緊密に結合するのでボックスの固定が確実でがたつきにくい。
また前記一対のリブの対向面が前記一対のレールの互いに反対側の側面に接近しているため、ボックスをレールに固定する際にリブの内側にレールを係合することによりボックスの位置決めができるので、ボックスの引掛作業が容易になる。
【００２２】
請求項２の盤ボックスの固定構造によれば、請求項１において、前記引掛部は頭部とピン部からなりかつ前記頭部側が径大となる円錐部を前記ピン部の頭部連続部分に形成した頭付ピンであり、前記引掛受け部は前記頭付ピンの前記頭を遊嵌する大孔部と前記ピン部を係合する小孔部からなりかつ前記小孔部は下端部側ほど漸次幅が狭くなっているため、請求項１の効果のほか、引掛部を引掛受け部に引掛けやすく、しかもボックスとレールとを密着できるとともにボックスの位置決めが確実になる。
【図面の簡単な説明】
【図１】この発明の第１の実施例の分解斜視図である。
【図２】取付状態の斜視図である。
【図３】扉を外した状態の斜視図である。
【図４】ボックスおよびレールの分解斜視図である。
【図５】取付状態の断面図である。
【図６】ボックスの扉を外した状態の正面図である。
【図７】ボックスの平面図である。
【図８】レールの中間部を破断した状態の正面図である。
【図９】その平面図である。
【図１０】引掛部のかしめ前の状態の平面図である。
【図１１】第２の実施例の断面図である。
【図１２】第３の実施例のレールの部分正面図である。
【図１３】引掛部のかしめ状態の平面図である。
【図１４】第４の実施例の扉を外した状態の斜視図である。
【図１５】その内器受けの正面図である。
【図１６】その背板取付状態の部分断面図である。
【符号の説明】
１，２  レール
３    ボックス
４    引掛受け部
５    引掛部
１１    壁面
【図１】
0003756198.tif 000002
【図２】
0003756198.tif 000003
【図３】
0003756198.tif 000004
【図４】
0003756198.tif 000005
【図５】
0003756198.tif 000006
【図６】
0003756198.tif 000007
【図７】
0003756198.tif 000008
【図８】
0003756198.tif 000009
【図９】
0003756198.tif 000010
【図１０】
0003756198.tif 000011
【図１１】
0003756198.tif 000012
【図１２】
0003756198.tif 000013
【図１３】
0003756198.tif 000014
【図１４】
0003756198.tif 000015
【図１５】
0003756198.tif 000016
【図１６】
0003756198.tif 000017